【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  既設下枠と一対の既設竪枠と既設上枠とを有し、建物の開口部に取付けられた既設引戸枠内に、改修用下枠と一対の改修用竪枠と改修用上枠とを有する改修用引戸枠を装着した改修引戸装置において、
前記改修用上枠に装着した室外側上枠シール材と、前記一対の改修用竪枠に装着した室外側竪枠シール材を備え、
前記室外側上枠シール材は、前記開口部の上縁部と改修用上枠の室外側部との間をシールし、
前記室外側竪枠シール材は、前記開口部の縦縁と改修用竪枠の室外側部との間をシールし、
前記室外側上枠シール材は、開口部の上縁部に接する室外側ヒレと室内側ヒレとの間に排水溝を有する形状で、室外側竪枠シール材は開口部の縦縁部に接する室外側ヒレと室内側ヒレとの間に排水溝を有する形状で、
前記室外側上枠シール材の排水溝と室外側竪枠シール材の排水溝が連続していることを特徴とする改修引戸装置。
【請求項２】  既設下枠と一対の既設竪枠と既設上枠とを有し、建物の開口部に取付けられた既設引戸枠内に、改修用下枠と一対の改修用竪枠と改修用上枠とを有する改修用引戸枠を装着した改修引戸装置において、
前記改修用上枠に装着した室外側上枠シール材と、前記一対の改修用竪枠に装着した室外側竪枠シール材を備え、
前記室外側上枠シール材は、前記開口部の上縁部と改修用上枠の室外側部との間及び、改修用上枠の室外側部と既設上枠の室外部との間をそれぞれシールし、
前記室外側竪枠シール材は、前記開口部の縦縁と改修用竪枠の室外側部との間及び、改修用竪枠の室外側部と既設竪枠の室外側部との間をそれぞれシールする改修引戸装置。
【請求項３】  室外側上枠シール材は、開口部の上縁部における既設シール材よりも室外寄りに接する室外側ヒレと、既設上枠の室外側部に圧接す室内側ヒレを有し、
室外側竪枠シール材は、開口部の縦縁部における既設シール材よりも室外寄りに接する室外側ヒレと、既設竪枠の室外側部に圧接する室内側ヒレを有する請求項２記載の改修引戸装置。
【請求項４】  室外側上枠シール材は、室外側ヒレと室内側ヒレとの間に排水溝を有する形状で、室外側竪枠シール材は室外側ヒレと室内側ヒレとの間に排水溝を有する形状で、
前記室外側上枠シール材の排水溝と室外側竪枠シール材の排水溝が連続している請求項３記載の改修引戸装置。
【手続補正２】
【補正対象書類名】明細書
【補正対象項目名】００１２
【補正方法】変更
【補正の内容】
【００１２】
【課題を解決するための手段】
本発明は、既設下枠と一対の既設竪枠と既設上枠とを有し、建物の開口部に取付けられた既設引戸枠内に、改修用下枠と一対の改修用竪枠と改修用上枠とを有する改修用引戸枠を装着した改修引戸装置において、
前記改修用上枠に装着した室外側上枠シール材と、前記一対の改修用竪枠に装着した室外側竪枠シール材を備え、
前記室外側上枠シール材は、前記開口部の上縁部と改修用上枠の室外側部との間をシールし、
前記室外側竪枠シール材は、前記開口部の縦縁と改修用竪枠の室外側部との間をシールし、
前記室外側上枠シール材は、開口部の上縁部に接する室外側ヒレと室内側ヒレとの間に排水溝を有する形状で、室外側竪枠シール材は開口部の縦縁部に接する室外側ヒレと室内側ヒレとの間に排水溝を有する形状で、
前記室外側上枠シール材の排水溝と室外側竪枠シール材の排水溝が連続していることを特徴とする改修引戸装置である。
本発明は、次のような改修引戸装置であっても良い。
既設下枠と一対の既設竪枠と既設上枠とを有し、建物の開口部に取付けられた既設引戸枠内に、改修用下枠と一対の改修用竪枠と改修用上枠とを有する改修用引戸枠を装着した改修引戸装置において、
前記改修用上枠に装着した室外側上枠シール材と、前記一対の改修用竪枠に装着した室外側竪枠シール材を備え、
前記室外側上枠シール材は、前記開口部の上縁部と改修用上枠の室外側部との間及び、改修用上枠の室外側部と既設上枠の室外部との間をそれぞれシール、
前記室外側竪枠シール材は、前記開口部の縦縁と改修用竪枠の室外側部との間及び、改修用竪枠の室外側部と既設竪枠の室外側部との間をそれぞれシールする改修引戸装置である。
【手続補正３】
【補正対象書類名】明細書
【補正対象項目名】００１３
【補正方法】変更
【補正の内容】
【００１３】
本発明によれば、開口部の上縁部と改修用上枠の室外側部との間から雨水等が浸入することを防止できるし、開口部の縦縁部と改修用竪枠の室外側部との間から雨水が浸入することを防止できる。
しかも、室外側上枠シール材の室外側ヒレのシール部より浸入した雨水等が室外側上枠シール材の排水溝から室外側竪枠シール材の排水溝に流れ落ちるし、室外側竪枠シール材の室外側ヒレのシール部より浸入した雨水は、その排水溝で排水されるから、前述の浸入した各雨水等を外部に排水できる。
したがって、水密性に優れた改修引戸装置である。
また、後述した本発明の改修引戸装置であれば、既設上枠の室外側部と改修用上枠の室外側部との間から雨水等が浸入することを防止できるし、既設竪枠の室外側部と改修用竪枠の室外側部との間から雨水が浸入することを防止できるから、水密性に優れた改修引戸装置である。
【手続補正４】
【補正対象書類名】明細書
【補正対象項目名】００１４
【補正方法】変更
【補正の内容】
【００１４】
次に、後述した本発明の改修引戸装置の好ましい態様を説明する。
【手続補正５】
【補正対象書類名】明細書
【補正対象項目名】００１５
【補正方法】変更
【補正の内容】
【００１５】
後述した本発明の改修引戸装置における室外側上枠シール材は、開口部の上縁部における既設シール材よりも室外寄りに接する室外側ヒレと、既設上枠の室外側部に圧接す室内側ヒレを有し、
室外側竪枠シール材は、開口部の縦縁部における既設シール材よりも室外寄りに接する室外側ヒレと、既設竪枠の室外側部に圧接する室内側ヒレを有することが好ましい。
【手続補正６】
【補正対象書類名】明細書
【補正対象項目名】００１７
【補正方法】変更
【補正の内容】
【００１７】
後述した本発明の改修引戸装置における室外側上枠シール材は、室外側ヒレと室内側ヒレとの間に排水溝を有する形状で、室外側竪枠シール材は室外側ヒレと室内側ヒレとの間に排水溝を有する形状で、
前記室外側上枠シール材の排水溝と室外側竪枠シール材の排水溝が連続していることが好ましい。
【手続補正７】
【補正対象書類名】明細書
【補正対象項目名】０１０３
【補正方法】変更
【補正の内容】
【０１０３】
【発明の効果】
本発明によれば、開口部の上縁部と改修用上枠の室外側部との間から雨水等が浸入することを防止できるし、開口部の縦縁部と改修用竪枠の室外側部との間から雨水が浸入することを防止できる。
しかも、室外側上枠シール材の室外側ヒレのシール部より浸入した雨水等が室外側上枠シール材の排水溝から室外側竪枠シール材の排水溝に流れ落ちるし、室外側竪枠シール材の室外側ヒレのシール部より浸入した雨水は、その排水溝で排水されるから、前述の浸入した各雨水等を外部に排水できる。
したがって、水密性に優れた改修引戸装置である。
また、後述した本発明の改修引戸装置であれば、既設上枠の室外側部と改修用上枠の室外側部との間から雨水等が浸入することを防止できるし、既設竪枠の室外側部と改修用竪枠の室外側部との間から雨水が浸入することを防止できるから、水密性に優れた改修引戸装置である。